(57)【要約】【課題】  サーフボードの後部裏面に取り付けて、その運動性能を安定向上させ、その直進、回転及び加速操作性を良好にすること。【解決手段】  サーフボードの裏面に取り付けるための二つの取付片１、１と、二つの取付片１、１から延長するフィン基部２と、フィン基部２の後端から延長した斜め下向き鰭部３と、フィン基部２の後端から延長した斜め上向き鰭部４とをカーボンファイバーにより一体に構成する。斜め下向き鰭部３及び斜め上向き鰭部４を後端に向かって徐々に薄く構成し、弾力性を持たせるようにする。【選択図】  図１
2005280376.tif 000002
【特許請求の範囲】
【請求項１】
サーフボードの後部裏面に装着するサーフボード用フィンであって、
該サーフボードの裏面に取り付けるための取付部と、
該取付部からサーフボードに取り付けた場合にその斜め下方となる方向に向かって延長する直立板状のフィン基部と、
該フィン基部の後端から直線的に延長する直立板状の斜め下向き鰭部と、
該フィン基部の後端からサーフボードに取り付けた場合にその後部裏面に向かって斜め上方に延長する直立板状の斜め上向き鰭部と、
で構成し、
かつ少なくとも前記フィン基部側より前記斜め下向き鰭部及び斜め上向き鰭部側が弾力性に富むように構成したサーフボード用フィン。
【請求項２】
前記フィン基部側より前記斜め下向き鰭部及び前記斜め上向き鰭部側が弾力性に富むようにする構成を、該フィン基部の後端付近から該斜め下向き鰭部の後端及び該斜め上向き鰭部の後端のそれぞれに向かって徐々に厚みを薄くすることにより得た請求項１のサーフボード用フィン。
【発明の詳細な説明】
【技術分野】
【０００１】
本発明は、サーフボードの後部裏面に操縦性の向上を目的として装着されるサーフボード用フィンに関するものである。
【背景技術】
【０００２】
サーフボード用フィンについては種々の提案がある。
第１例は、芯体の全体を金属又はプラスチックの板材でハニカム状又はこれに類似する形状に形成したサーフボード用フィン（特許文献１）である。
【０００３】
この例のフィンは軽量化を図って浮力を増大させ、かつ同時に圧縮に対する強度を高める趣旨のものであり、その目的は達成されていると思われるが、基本的な形状は三角形で、前縁は部分円弧状に膨らみ、後縁は部分円弧状に凹むものであって、そのフィンとしての機能の面で見ると、従来と殆ど異ならず特別の工夫がなされたものではない。
【０００４】
第２例は、周縁部に軟質保護カバーを設けたマリンボード用のフィン（特許文献２）であり、サーフィン中に海中に落ちた場合に、万が一、フィンが体に当たるようなことがあってもこれによって大けがをするような事態を回避することがその開発の趣旨であり、そのような趣旨は概ね達成できるものとなっていると思われる。しかしこの例のフィンも前記第１例のフィンと同様に基本的に既存の形態と同様の形態を持つに過ぎないので、そのフィンとしての機能には大差がない。
【０００５】
第３例は、マリンボードに所定の取付部材を介して取り付けられるマリンボード用フィンに於いて、該取付部材に形成された挿入口に、位置変更可能な隙間を持って挿入される突出部と、該突出部に形成され、該挿入口の一部に係合する係合部とを有するマリンボード用フィン（特許文献３）である。
【０００６】
これは、マリンボードの性能調整をフィンの取付位置を変更し、或いは取付数を変更することで行おうとするものであり、取付部材と突出部に特別の工夫を凝らすことにより、これを実現したものであり、その点で優れたものであるということができる。しかしこの例のフィンもフィン自体の形態は既存のそれと基本的に同様であり、特別の工夫がされているものではなく、既存のそれと全く同様の機能を持つに過ぎないものである。
【０００７】
第４例は、サーフボードの底面後方に二枚の舵板をほぼ７５度の角度で開脚状に取り付けてなるサーフボード用フィンである。
【０００８】
このサーフボード用フィンは、第１例〜第３例のそれと異なり、フィン自体に改良を加えたものであり、これを用いたサーフボードによれば、寄波・寄波の巻波に乗って進む場合は、従来一般のフィンを用いた場合と異ならないが、不意の波の変化によるサーフボードの揺れ又はボードに乗っているサーファーの重心の移動によって該ボードが傾いたりすると、フィンが波の推力を受け傾斜方向に進行方向を変える等、サーファーの微妙な重心の移動等によりフィンに加わる波の推力を微妙に合成分解できるため、サーフボードの操作を自在に行えることとなるものであるとされる。
【０００９】
前記第１例〜第３例までのサーフボード用フィンは、既述のように、いずれも側面から見て三角形を基本とし、その前縁は部分円弧状に膨らみ、後縁は部分円弧状に凹む形状のものであって、そのサイズの割に面積が広く、かつ弾力性のない部材で成形されたものであるため、水中で横方向からの何らかの推力その他の外力を受けると、サーフライディングが不安定になり、運動性能、即ち、直進性、回転性及び加速性に悪影響を及ぼす不都合をがある。
【００１０】
第４例のサーフボード用フィンは、以上の点につき不明な点もあり、確たる評価をし難いところもあるが、その個々の舵板は少なくとも弾力性を持つ材質で構成されてるとは認められず、また個々の舵板の基本形状も第１例〜第３例のそれと同一であり、一対が所定の角度で取り付けられているという点を除けば同様のものであるということができる。その文献の全趣旨からくみ取れる機能と本件発明者の知見とを組み合わせて検討すると、第１例〜第３例までのそれとは若干の違いが認められるにしても、水中で横方向からの何らかの推力その他の外力を受けると、やはりサーフライディングが不安定になり、運動性能に悪影響を及ぼす不都合を持っているものと考えざるを得ない。
【００１１】
【特許文献１】実開平５９−１４０７８０号公報
【特許文献２】特開平８−２４４６８１号公報
【特許文献３】特開２００３−３０６１９５号公報
【特許文献４】実開昭５５−１７１０６６号公報
【発明の開示】
【発明が解決しようとする課題】
【００１２】
本発明は、サーフボードの後部裏面に取り付けて、その運動性能を安定向上させ、その直進、回転及び加速操作性を良好にし、該サーフボードに乗ってこれを操るサーファーが自在にこれを制御し得るようにするためのサーフボード用フィンを提供することを解決の課題とするものである。
【課題を解決するための手段】
【００１３】
本発明の１は、サーフボードの後部裏面に装着するサーフボード用フィンであって、
該サーフボードの裏面に取り付けるための取付部と、
該取付部からサーフボードに取り付けた場合にその斜め下方となる方向に向かって延長する直立板状のフィン基部と、
該フィン基部の後端から直線的に延長する直立板状の斜め下向き鰭部と、
該フィン基部の後端からサーフボードに取り付けた場合にその後部裏面に向かって斜め上方に延長する直立板状の斜め上向き鰭部と、
で構成し、
かつ少なくとも前記フィン基部側より前記斜め下向き鰭部及び斜め上向き鰭部側が弾力性に富むように構成したサーフボード用フィンである。
【００１４】
本発明の２は、本発明の１のサーフボード用フィンに於いて、前記フィン基部側より前記斜め下向き鰭部及び前記斜め上向き鰭部側が弾力性に富むようにする構成を、該フィン基部の後端付近から該斜め下向き鰭部の後端及び該斜め上向き鰭部の後端のそれぞれに向かって徐々に厚みを薄くことにより得たものである。
【発明の効果】
【００１５】
本発明の１のサーフボード用フィンによれば、これをその後部裏面に装着したサーフボードの直進安定性、ターン性能及び加速性能を高めることができる。
このサーフボード用フィンによれば、フィン基部から斜め下向き鰭部及び斜め上向き鰭部が後方に延長する状態に構成されており、従来のフィンと比較して個々の部位の幅は狭くかつ前後方向には充分長く構成し得るものであるため、従来のそれより高い直進安定性を確保することができるものである。
【００１６】
また少なくとも前記フィン基部側より前記斜め下向き鰭部及び斜め上向き鰭部側が弾力性に富むように構成したものであるため、サーファーがターンを開始すると、該フィンの後部、具体的には、特に該斜め下向き鰭部及び該斜め上向き鰭部がターン方向に撓むことになるため、そのターンは容易かつスムーズ行い得られることとなる。更に該ターンによって撓んだフィンの後部は、云うまでもなく、ターン終了時前後に元の形状、即ち、直線状態に復帰しようとして、そのように動作し、これが該当する側に位置する水を押して推進力を発生させることとなる。従って連続ターンに於いては加速性能の高いものとなる。
【００１７】
本発明の２のサーフボード用フィンによれば、その前部側から後部側に向かって徐々に弾力性が増加する適切な弾力性の分布を容易に確保することができる。
【発明を実施するための最良の形態】
【００１８】
本発明のサーフボード用フィンは、基本的に、サーフボードの裏面に取り付けるための取付部と、該取付部から延長するフィン基部と、該フィン基部の後端から延長した斜め下向き鰭部と、該フィン基部の後端から延長した斜め上向き鰭部とで構成したものである。
【００１９】
前記取付部は、フィンのサーフボードの裏面への取付手段であり、所要の部位に所要の強度で取り付け得るものであれば、特定の構成に限定されない。一度取り付けたら取り外すことのできない固定的な取付手段でも、着脱自在なそれでも自由に採用することができる。
【００２０】
前記フィン基部は、フィンを前記取付部を利用してサーフボードに取り付けた場合に、その取付部から斜め下方に向かって延長するように構成した直立板状の部材である。その幅や長さは特定のそれに限定されないし、その幅が全長にわたって一定である必要もないが、概ね同一幅で斜め下方に延長した幅狭の部材に構成するのが適当である。
【００２１】
前記斜め下向き鰭部は、前記フィン基部の後端から直線的に延長した直立板状の部材であり、該フィン基部から直線的に延長するものであるから、云うまでもなく、斜め下向きの部材である。その幅は、概ねフィン基部と同一程度であるが、そのように限定するものではない。後端に向かって若干幅狭になるように構成するのが適当である。
【００２２】
前記斜め上向き鰭部は、前記フィン基部の後端から延長状態に構成した直立板状の部材である。該斜め上向き鰭部は、前記斜め下向き鰭部の接続位置と同一位置で該フィン基部に接続し、該フィンをサーフボードに取り付けた場合に、その後部裏面に向かって斜め上方に延長するように構成する。該斜め上向き鰭部は、このようにフィン基部に結合しているため、側面から見ると、該フィン基部、前記斜め下向き鰭部及び該斜め上向き鰭部の全体で横向きのｙ字状をなす如くになる。該斜め上向き鰭部も、前記斜め下向き鰭部と同様の幅及び長さとし、側面から見た形状は、該斜め下向き鰭部とほぼ対称となるような形状が適当である。
【００２３】
なお前記フィン基部のサーフボードへ取り付けた際のその下面となす下向きの傾斜角度は適宜設定することができるが、例えば、２０〜３０度に設定して有効な作用を得ることができる。
【００２４】
また前記斜め下向き鰭部は、前記フィン基部からの延長方向を全く直線方向としても良いが、更に若干下向きにして斜め下向き傾斜角度を大きくすることも可能である。
【００２５】
更にまた前記斜め下向き鰭部と前記斜め上向き鰭部との間の角度は、自由に設定可能であるが、概ね４５〜６０度に設定して有効な結果を得ることができる。
【００２６】
本発明のサーフボード用フィンは、少なくとも前記フィン基部側より前記斜め下向き鰭部及び斜め上向き鰭部側が弾力性に富むように構成すべきものである。これは種々の手段により自由に構成することができる。例えば、全体を弾性部材で一体に、かつフィン基部側から斜め下向き鰭部の後端及び斜め上向き鰭部の後端のそれぞれに向かって薄くなるように構成することで、それを実現することができる。
【００２７】
以上のように、本発明のサーフボード用フィンは、全体を弾力性を有する部材で一体に構成するのが適当であるが、それには限定されず、同様の機能を獲得できる種々の構成が採用可能である。弾力性を有する部材で一体に構成する場合も一種類の材質で全体を構成する他、弾力性の異なる複数の材質を併用し、例えば、比較的硬い芯材と柔らかい表層材とを組み合わせることも可能である。
【００２８】
具体的には、本発明のサーフボード用フィンはカーボンファイバー、カーボンクロス、ガラス繊維又はＦＲＰ等を利用して一体に構成することができる。
【００２９】
従って本発明のサーフボード用フィンによれば、これをその取付部を利用してサーフボードの裏面の所定の部位に取り付けることができる。通常このフィンはサーフボードの裏面後部に一個のみ取り付けるのが適当である。必要に応じてその両側に従来のフィンをそれぞれ取り付けることとしても良い。
【００３０】
このように本発明のフィンを取り付けたサーフボードは、直進安定性、ターン性能及び加速性能に優れたものとなる。
【００３１】
具体的には、いずれも直立板状の部材である前記フィン基部から前記斜め下向き鰭部及び前記斜め上向き鰭部が後方に延長するように構成されており、従来のフィンと比較して個々の部位の幅は狭くかつ前後方向には充分長く構成し得るものであるため、従来のフィンより高い直進安定性を確保することができることとなるものである。
【００３２】
更に少なくとも該フィン基部側より該斜め下向き鰭部及び該斜め上向き鰭部側が弾力性に富むように構成してあるものであるため、サーファーがターンを開始すると、該フィン後部の斜め下向き鰭部及び斜め上向き鰭部の後部付近がターン方向に撓むことになり、そのためそのターンは容易かつスムーズ行い得られることとなる。
【００３３】
また前記ターンによって撓んだフィンの後部は、云うまでもなく、ターン終了時前後に元の形状である直線状態に復帰しようとし、これが該当する側に位置する水を押すこととなり、それによって推進力を発生させることとなる。従って本発明のサーフボード用フィンによれば連続ターンに於いては加速性能の高いものとなる。
【実施例１】
【００３４】
この実施例のサーフボード用フィンは、図１及び図２に示すように、サーフボードｓの裏面に取り付けるための二つの取付片（取付部）１、１と、該二つの取付片１、１から延長するフィン基部２と、該フィン基部２の後端から延長した斜め下向き鰭部３と、該フィン基部２の後端から延長した斜め上向き鰭部４とで一体に構成したものである。
【００３５】
前記二つの取付片１、１は、同図に示すように、いずれも側面から見てほぼ四辺形の板状小片で、サーフボードｓの裏面の所定の部位に埋め込まれた二つの結合手段（図示せず）の各々のスリットに挿脱自在に挿入できるようにその厚み及び縦横の寸法を設定したものである。因みに、該結合手段は市販の一般的な補助器具であり、その外面側となる部位の一部から斜め方向にスクリュウ部材をねじ込むことができるようになっており、該スクリュウ部材の先端を該取付片１、１の側面に圧接して該スリットへの挿入状態を固定できるようになっている。
【００３６】
前記フィン基部２は、その後部が、図１及び図２に示すように、前記二つの取付片１、１を立ち上げるために水平部２ａに構成してあり、図４及び図５に示すように、該水平部２ａから、これを該取付片１、１を利用してサーフボードｓに取り付けた場合に、その取付片１、１を立ち上げた水平部２ａから斜め下方に向かって延長する直立板状の部材に構成する。サーフボードｓに取り付けた場合のその裏面と該フィン基部２のなす角度はこの実施例では２４度とした。また該フィン基部２は、前記水平部２ａを構成した部位周辺から後方は一定幅で延びる構成とし、その厚みは前端から後端までほぼ同一とする。また該フィン基部２の断面は、図３に示すように、上下端が若干尖る楔状となっている。
【００３７】
前記斜め下向き鰭部３は、図１及び図２に示すように、前記フィン基部２の後端から直線的に延長した直立板状の部材であり、該フィン基部２との接続部付近はこれと同幅程度であるが、後端に向かって徐々に細幅となるように構成したものである。またこの斜め下向き鰭部３は、図４(b)及び図５(b)に示すように、その前端は前記フィン基部２と同じ厚みであるが、後端に向かって徐々に薄くなるように構成したものである。
【００３８】
前記斜め上向き鰭部４は、図１及び図２に示すように、前記フィン基部２の後端、即ち、これと前記斜め下向き鰭部３との接続部から分岐するような形態で延長させた直立板状の部材である。即ち、該斜め上向き鰭部４は、該フィンをサーフボードｓに取り付けた場合に、その後部裏面に向かって斜め上方に延長するように構成するものであり、側面から見ると、該フィン基部２、前記斜め下向き鰭部３及び該斜め上向き鰭部４の全体で横向きのｙ字状をなす如くになるように構成したものである。該斜め上向き鰭部４も、前記斜め下向き鰭部３と同様の幅及び長さとし、側面から見た形状は、該斜め下向き鰭部３とほぼ対称となる形状とする。またこの斜め上向き鰭部４も、図２に示すように、その前端は前記フィン基部２と同じ厚みであるが、後端に向かって徐々に薄くなるように構成したものである。
【００３９】
更にまた前記斜め下向き鰭部３の下側部と前記斜め上向き鰭部４の上側部との間の角度は、この実施例では５２度になるようにした。
【００４０】
なおこの実施例のサーフボード用フィンは、カーボンファイバーにより、前記したように、以上の取付片１、１とフィン基部２と斜め下向き鰭部３と斜め上向き鰭部４とを一体に構成したものである。
【００４１】
この実施例のサーフボード用フィンは、以上の構成で、ロングフィン及びショートフィン用を作成し、その弾力性をテストした。なおこの実施例で作成したロングフィンは全長Ｌ１：５０ｃｍであり、ショートフィンは全長Ｌ２：３３ｃｍである。
【００４２】
実施例の各フィンを取付片１、１でサーフボードｓに固定し、該サーフボードｓを横向きにした上で、フィン基部２の後端に幅広のベルトを結合し、該ベルトを斜め下向き鰭部３及び斜め上向き鰭部４の上に載せた状態でそれらの各後端まで延長し、更に該各後端から垂下させ、該ベルトの下端に１０ｋｇの重錘を結合したところ、ロングフィンでは、該斜め下向き鰭部３及び該斜め上向き鰭部４は、同時に図５(a)に示すように撓み、その撓み寸法ＴＬ１は９ｃｍとなった。またショートフィンでは、該斜め下向き鰭部３及び該斜め上向き鰭部４は、同時に図５(b)に示すように撓み、その撓み寸法ＴＬ２は７ｃｍとなった。
【００４３】
従ってこの実施例のサーフボード用フィンによれば、これはその取付片１、１を利用してサーフボードｓの裏面の所定の部位に取り付けることができる。取付片１、１によるフィンの取付方は先に説明したとおりである。
【００４４】
この実施例のフィンは、ロングボードであれ、ショートボードであれ、サーフボードｓの裏面後部に１個のみ取り付けるのが適当である。もっとも必要に応じてその両側に従来のフィンｆ、ｆをそれぞれ追加的に取り付けることとすることもできる。図４(a)、(b)は、サーフボードｓの後部裏面に実施例の１個のフィンのみを取り付けた例を示しており、図５(a)、(b)は実施例の１個のフィンを後部裏面の中央に取り付け、その両側に従来のフィンｆ、ｆを追加的に取り付けた例を示したものである。
【００４５】
このようにこの実施例のフィンを取り付けたサーフボードｓは、これのみを取り付けた場合でも、その両側に従来のフィンｆ、ｆを付加した場合であっても、いずれも直進安定性、ターン性能及び加速性能に優れたものとなる。
【００４６】
寄波又は寄波の巻波に乗って直進する場合は、この実施例のフィンは、いずれも直立板状の部材である前記フィン基部２から前記斜め下向き鰭部３及び前記斜め上向き鰭部４が後方に延長状態に構成されており、従来のフィンｆと比較して個々の部位の幅は狭くかつ前後方向には充分長く加えて低く構成したものであるから、従来のフィンｆのみを使用した場合より充分に高い直進安定性を確保し得るものである。従来のフィンｆがこの実施例の中央のフィンの両側に構成されている場合でも、当然その作用は失われなわれず、高直進安定性は確保される。
【００４７】
更に該フィン基部２側より該斜め下向き鰭部３及び該斜め上向き鰭部４側が後端に向かって徐々に薄くなるように構成してあり、後方ほど弾力性に富むように構成してあるため、サーファーがターンを開始すると、該フィン後部の斜め下向き鰭部３及び斜め上向き鰭部４がターン方向に撓み、そのため、撓むことのない従来のフィンｆのみを取り付けた場合に比してそのターンは容易かつスムーズ行い得られることとなる。
【００４８】
また前記ターンによって撓んだフィン後部の斜め下向き鰭部３及び斜め上向き鰭部４は、云うまでもなく、ターン終了時前後に元の形状である直線状態に復帰しようとし、これがターンした側と反対側の水を押すこととなり、それによって推進力を発生させることとなる。これらはターン毎に繰り返されることとなる。従ってこの実施例のサーフボード用フィンによれば連続ターンに於いては加速性能の非常に高いものとなる。
【図面の簡単な説明】
【００４９】
【図１】実施例のサーフボード用フィンの側面図。
【図２】実施例のサーフボード用フィンの平面図。
【図３】図１のＡ−Ａ線切断部の拡大端面図。
【図４】(a)は実施例のサーフボード用フィンを取り付けたサーフボードの側面図、(b)はその底面図。
【図５】(a)は実施例のサーフボード用フィンを裏面後部中央に、その両側に従来のフィンを取り付けたサーフボードの側面図、(b)はその底面図。
【図６】(a)はロングフィンの弾力性をテストしている状態を示す側面説明図、(b)はショートフィンの弾力性をテストしている状態を示す側面説明図。
【符号の説明】
【００５０】
１    取付片（取付部）
２    フィン基部
２ａ  水平部
３    斜め下向き鰭部
４    斜め上向き鰭部
Ｌ１  ロングボード用のフィンの全長
Ｌ２  ショートボード用のフィンの全長
ＴＬ１  ロングボード用のフィンの撓み寸法
ＴＬ２  ショートボード用のフィンの撓み寸法
ｓ    サーフボード
ｆ    従来のフィン
【図１】
2005280376.tif 000003
【図２】
2005280376.tif 000004
【図３】
2005280376.tif 000005
【図４】
2005280376.tif 000006
【図５】
2005280376.tif 000007
【図６】
2005280376.tif 000008